(57)【要約】【課題】コンテンツのコピー制御情報がコピーワンスであって光ディスクがコピーワンス対応でない場合、トラブルシューティングを表示し、取扱説明書に頼ることなくコピーワンスによるトラブル解決法をユーザに簡単に示した光ディスク装置を提供する。【解決手段】ｓ４において録画するＴＶ番組がコピーワンスであると判断すると、制御部４は、装置本体１にセットされている光ディスク１００がＣＰＲＭ対応か否かを判断する（ｓ５）。この判断は、光ディスク１００のリードイン領域をＰＵヘッド２に読み出させることにより行なう。制御部４は、記録再生部３を介してこのＰＵヘッド２が読み出す情報を取得し、判断する。光ディスク１００がＣＰＲＭ対応でないと判断すると、制御部４は、トラブルシューティングをＯＳＤ処理部１２及び表示部７に表示させる（ｓ１１）。【選択図】図３
2007157207.tif 000002
【特許請求の範囲】
【請求項１】
装置本体にセットされている光ディスクにピックアップヘッドからレーザ光を照射し、その光ディスクに対して、データの記録又は読取を行う記録読取手段を備えた光ディスク装置において、
前記記録読取手段は、入力ソースから入力されてきたコンテンツの記録を行う際、該入力ソースから該コンテンツとともに入力されてきた該コンテンツのコピー制御情報を参照して、該コンテンツが１回だけ記録を許可するコピーワンスであるか否か判断し、該コンテンツがコピーワンスである場合、前記装置本体にセットされている光ディスクがコピーワンス対応の光ディスクか否か判断し、
前記記録読取手段が前記装置本体にセットされている光ディスクがコピーワンス対応の光ディスクでないと判断すると、前記装置本体にセットされている光ディスクを別のコピーワンス対応の光ディスクに交換することを促すトラブルシューティングを表示器に表示する表示手段を備え、
前記記録読取手段は、前記表示手段が前記トラブルシューティングを表示器に表示する際、前記装置本体にセットされている光ディスクをエジェクトし、
前記記録読取手段は、前記装置本体にセットされている光ディスクがコピーワンス対応の光ディスクであると判断すると、該コピーワンス対応の光ディスクが前記装置本体に現在設定されている記録フォーマットによって記録可能か否か判断し、
前記表示手段は、前記現在設定されている記録フォーマットによって記録不可能であると前記記録読取手段が判断すると、前記現在設定されている記録フォーマットを記録可能な記録フォーマットに変更することを促すトラブルシューティングを前記表示器に表示する光ディスク装置。
【請求項２】
装置本体にセットされている光ディスクにピックアップヘッドからレーザ光を照射し、その光ディスクに対して、データの記録又は読取を行う記録読取手段を備えた光ディスク装置において、
前記記録読取手段は、入力ソースから入力されてきたコンテンツの記録を行う際、該入力ソースから該コンテンツとともに入力されてきた該コンテンツのコピー制御情報を参照して、該コンテンツが１回だけ記録を許可するコピーワンスであるか否か判断し、該コンテンツがコピーワンスである場合、前記装置本体にセットされている光ディスクがコピーワンス対応の光ディスクか否か判断し、
前記記録読取手段が前記装置本体にセットされている光ディスクがコピーワンス対応の光ディスクでないと判断すると、前記装置本体にセットされている光ディスクを別のコピーワンス対応の光ディスクに交換することを促すトラブルシューティングを表示器に表示する表示手段を備える光ディスク装置。
【請求項３】
前記記録読取手段は、前記装置本体にセットされている光ディスクがコピーワンス対応の光ディスクであると判断すると、該コピーワンス対応の光ディスクが前記装置本体に現在設定されている記録フォーマットによって記録可能か否か判断し、
前記表示手段は、前記現在設定されている記録フォーマットによって記録不可能であると前記記録読取手段が判断すると、前記現在設定されている記録フォーマットを記録可能な記録フォーマットに変更することを促すトラブルシューティングを前記表示器に表示する請求項２記載の光ディスク装置。
【請求項４】
前記記録読取手段は、前記表示手段が前記トラブルシューティングを表示器に表示する際、前記装置本体にセットされている光ディスクをエジェクトする請求項２に記載の光ディスク装置。
【発明の詳細な説明】
【技術分野】
【０００１】
本発明は、ディジタル放送などのコピー制御情報のあるコンテンツを記録、又は再生する光ディスク装置において、特に不正コピー防止対応情報を持つ光ディスクに記録する光ディスク装置に関するものである。
【背景技術】
【０００２】
近年、放送のディジタル化が進んでおり、コンテンツはディジタルの状態で送られるため、コピーを繰り返してもコンテンツの質は劣化せず大量にかつ容易にコピーすることができるようになった。そのため、コンテンツの著作権者を保護する技術が必要不可欠となった。
そこで、現在のＢＳディジタル放送等ではコピー制御情報をコンテンツと同時に伝送している。コピー制御情報は、例えばＥＰＧ（Ｅｌｅｃｔｒｏｎｉｃ  Ｐｒｏｇｒａｍ  Ｇｕｉｄｅ）から取得する。ＥＰＧは、コンテンツの案内を含んでいる。
【０００３】
このコピー制御情報には、次の３つがある。
一つめはコピーフリー（ｃｏｐｙ  ｆｒｅｅ）である。これは、録画を何度行っても良いということ、つまりコピーが自由に出来ることである。
二つめはコピーワンス（ｃｏｐｙ  ｏｎｃｅ）である。これは、コピー回数を一回のみに制限することである。
三つめはコピー禁止（ｃｏｐｙ  ｎｅｖｅｒ）である。これは、録画に関して一切出来ないことである。
【０００４】
一方、上記コンテンツを記録又は再生する装置は、光ディスク装置である。光ディスク装置は、例えばＤＶＤレコーダである。
光ディスク装置で記録可能な光ディスクの内のＤＶＤ−ＲＡＭ、ＤＶＤ−ＲＷ（ｖｅｒｓｉｏｎ２．０）は、コピーワンスのコンテンツを録画する際、他のＤＶＤファミリーにコピーできない形で記録している。その記録方法は、光ディスク固有のメディアＩＤを元にコンテンツを暗号化して、記録する方法である。
【０００５】
しかし、ＤＶＤファミリーの内のＤＶＤ−Ｒ、ＤＶＤ−ＲＷ（ｖｅｒｓｉｏｎ１．０）は、光ディスク固有のメディアＩＤによる暗号化をサポートしていない。
そのため、コンテンツのコピー制御情報がコピーワンスの場合、ＤＶＤ−Ｒ、ＤＶＤ−ＲＷ（ｖｅｒｓｉｏｎ１．０）はコピーワンス映像を録画できないので、従来の光ディスク装置は、エラー表示をしていた。エラー表示を見たユーザは、取扱説明書を参照し、トラブルを解決していた。
【０００６】
一方、特許文献１に記載されたような光ディスク装置が提案されている。
この光ディスク装置は、コンテンツのコピー制御情報がコピーワンスの場合、装置本体にセットされている光ディスクがコピーワンス対応の光ディスクであるか否かを判断する制御手段と、前記光ディスクがコピーワンス対応の光ディスクでないと前記制御手段が判断すると、エラー表示をする表示手段と、を備える。
このエラー表示を見たユーザは、取扱説明書を参照し、トラブルを解決する。
【特許文献１】特開２００３−３１７３７７公報
【発明の開示】
【発明が解決しようとする課題】
【０００７】
しかしながら、コピーワンスの機構は、一般ユーザにとって非常に難しく、ほとんどのユーザは、取扱説明書を読んで理解することができない。
【０００８】
そのため、従来の光ディスク装置および特許文献１において、取扱説明書をユーザに参照させ、トラブルを自力解決させることは、非常な負担および手間をユーザに強いる点問題であった。
特に、電子機器に大変不慣れなユーザの場合、取扱説明書を参照してトラブルを自力解決することができないため、クレームの原因となり、この点も問題であった。
【０００９】
また、取扱説明書は、装置本体購入時に保管されていても、時が経つに連れてどこに保管していたかを忘れられることが一般的である。そのため、ユーザは、取扱説明書を参照するために、取扱説明書の保管場所を探さなければならない点問題であった。また、取扱説明書を紛失してしまう場合も有り、この場合、購入業者に問い合わせしなければならないという大変面倒な作業をユーザにさせてしまう点問題であった。
【００１０】
本発明はこのような従来の課題を解決しようとするものであり、コンテンツのコピー制御情報がコピーワンスであって光ディスクがコピーワンス対応でない場合、トラブルシューティングを表示し、取扱説明書に頼ることなくコピーワンスによるトラブル解決法をユーザに簡単に示した光ディスク装置を提供することを目的とする。
【課題を解決するための手段】
【００１１】
本発明の光ディスク装置は、前記課題を解決するために以下の構成を備えている。
【００１２】
（１）装置本体にセットされている光ディスクにピックアップヘッドからレーザ光を照射し、その光ディスクに対して、データの記録又は読取を行う記録読取手段を備えた光ディスク装置において、
前記記録読取手段は、入力ソースから入力されてきたコンテンツの記録を行う際、該入力ソースから該コンテンツとともに入力されてきた該コンテンツのコピー制御情報を参照して、該コンテンツが１回だけ記録を許可するコピーワンスであるか否か判断し、該コンテンツがコピーワンスである場合、前記装置本体にセットされている光ディスクがコピーワンス対応の光ディスクか否か判断し、
前記記録読取手段が前記装置本体にセットされている光ディスクがコピーワンス対応の光ディスクでないと判断すると、前記装置本体にセットされている光ディスクを別のコピーワンス対応の光ディスクに交換することを促すトラブルシューティングを表示器に表示する表示手段を備える。
【００１３】
この構成において、表示器は、例えばＴＶ受像機、液晶などのモニタ、装置本体内蔵の表示部である。コンテンツは、例えばＴＶ番組である。コピーワンス対応の光ディスクは、例えばＣＰＲＭ（Content  Protection  for  Recordable  Media）対応の光ディスクである。
また、コピー制御情報は、放送局側からコンテンツとともに送信される情報であり、例えばコピー禁止、コピーワンス、又はコピーフリーである。ここで、装置本体は、前提として、コピー制御情報に正しく反応する仕組みとなっている。
この構成では、コピーワンス映像を録画する際において、装置本体にセットされている光ディスクがコピーワンス対応の光ディスクでなかった場面を想定している。
記録読取手段は、光ディスクに録画するコンテンツの管理情報を取得し、該管理情報を参照して、光ディスクに録画するコンテンツのコピー制御情報を取得する。管理情報は、例えばＥＰＧである。
そして、コピー制御情報を参照して、コンテンツがコピーワンスであると判断すると、記録読取手段は、装置本体にセットされている光ディスクがコピーワンス対応の光ディスクか否か判断する。そして、記録読取手段がコピーワンス対応の光ディスクでないと判断すると、前記表示手段は、トラブルシューティングを前記表示器に表示する。
このトラブルシューティングは、即ちディスク交換要請画面であり、装置本体にセットされている光ディスクを別のコピーワンス対応の光ディスクに交換することを促す内容のものである。このトラブルシューティングは、例えば「別のコピーワンス対応の光ディスクに交換しなければ録画することはできません。光ディスクを交換しますか？」である。
なお、コピー制御情報を参照して、コンテンツがコピーフリーであると判断すると、記録読取手段は、光ディスクに録画を開始する。コンテンツがコピー禁止であると判断すると、記録読取手段は、光ディスクに録画を行なわない。つまりコンテンツがコピーフリー又はコピー禁止であると判断すると、記録読取手段は、通常の処理を行う。
以上より、取扱説明書に頼ることなく、コピーワンスによるトラブル解決法をユーザに簡単に示すことができるという効果を奏する。
なお、上記表示器は、装置本体内蔵の表示部でなくＴＶ受像機、液晶などのモニタとし、上記表示手段は、上記トラブルシューティングを上記表示器にＯＳＤ表示することが好ましい。その理由は、ＴＶ受像機、液晶などのモニタの画面サイズの方が装置本体内蔵の表示部より大きいためである。
【００１４】
（２）前記記録読取手段は、前記装置本体にセットされている光ディスクがコピーワンス対応の光ディスクであると判断すると、該コピーワンス対応の光ディスクが前記装置本体に現在設定されている記録フォーマットによって記録可能か否か判断し、
前記表示手段は、前記現在設定されている記録フォーマットによって記録不可能であると前記記録読取手段が判断すると、前記現在設定されている記録フォーマットを記録可能な記録フォーマットに変更することを促すトラブルシューティングを前記表示器に表示する。
【００１５】
この構成において、２００５年時点において、記録可能な記録フォーマットは、例えば−ＶＲフォーマットである。また、記録不可能な記録フォーマットは、例えばＤＶＤ−Ｖideoフォーマットである。
この構成では、コピーワンス映像を録画する際において、装置本体に現在設定されている記録フォーマットが記録可能でなかった場面を想定している。
コピーワンス機構を複雑にさせる要因は、上記（１）の、光ディスクがコピーワンス対応であるか否かだけではない。記録フォーマットがコピーワンス対応であるか否かも含まれる。
そこで、記録読取手段は、前記現在設定されている記録フォーマットによって記録可能か否か判断している。そして、記録読取手段が前記現在設定されている記録フォーマットによって記録不可能であると判断すると、前記表示手段は、トラブルシューティングを前記表示器に表示する。
このトラブルシューティングは、即ち記録フォーマット設定変更要請画面であり、現在設定されている記録フォーマットを記録可能な記録フォーマットに変更することを促す内容である。トラブルシューティングは、例えば「現在設定されているＤＶＤ−Ｖideoフォーマットを記録可能な−ＶＲフォーマットに変更しますか？」である。
一方、前記現在設定されている記録フォーマットによって記録可能であると判断すると、記録読取手段は、光ディスクもコピーワンス対応であり且つ記録フォーマットも適正なので、光ディスクに録画を開始する。記録読取手段は、コピーワンスの映像をコピーワンス対応の光ディスクに録画する際、暗号化を行って録画する。
以上より、取扱説明書に頼ることなく、コピーワンスによるトラブル解決法をより多く、ユーザに簡単に示すことができるという効果を奏する。
なお、上記光ディスク装置は、前記表示手段が表示する前記トラブルシューティングに応答する応答キーを有する操作手段を備え、前記表示手段は、前記操作手段の前記応答キーの操作により、前記現在設定されている記録フォーマットを記録可能な記録フォーマットに変更しない旨の応答があると、前記装置本体にセットされている光ディスクを別のコピーワンス対応の光ディスクに交換することを促すトラブルシューティングを前記表示器に表示する構成を追加しても良い。
【００１６】
（３）前記記録読取手段は、前記表示手段が前記トラブルシューティングを表示器に表示する際、前記装置本体にセットされている光ディスクをエジェクトする。
【００１７】
この構成において、光ディスクは、通常、トレイにマウントされる。その他、スロットインメカ方式の光ディスク装置のように、光ディスクを差し込むタイプの装置もある。
コピーワンス映像を録画する場合、コピーワンス対応の光ディスクで録画しなければならない。そのため、コピーワンスに対応していない光ディスクが装置本体にセットされてしまう場合が多い。
そこで、記録読取手段は、そういった光ディスクをエジェクトし、素早く、且つ簡単にディスクチェンジできるようにしている。
以上より、ユーザが光ディスクを素早く、且つ簡単にチェンジできるという効果を奏する。
【発明の効果】
【００１８】
この発明によれば、取扱説明書に頼ることなく、コピーワンスによるトラブル解決法をユーザに簡単に示すことができるという効果を奏する。
【発明を実施するための最良の形態】
【００１９】
以下、本発明の実施形態である光ディスク装置について説明する。
【００２０】
図１は、本発明の実施形態である光ディスク装置の主要な構成を示すブロック図である。
光ディスク装置１は、所謂ＤＶＤレコーダであり、装置本体１各部の動作を制御する制御部４と、光ディスク１００に対しデータの記録や読取を行うピックアップヘッド２（以下、PUヘッド２と称する。）と、RFアンプなどの記録再生部３と、録音キーまたは録画キー等の選択キーが設けられている操作部５と、情報を表示する表示部７と、データを記憶する記憶部６と、音声データをアナログの再生音声信号に変換するＤ／Ａコンバータ１１と、映像データをアナログの再生映像信号に変換する映像処理部１３と、デコードされた映像信号に基づく映像にＯＳＤ画像を重ね合わせた合成映像を生成するＯＳＤ処理部１２と、ＴＶ放送信号を受信してＡＶ（オーディオビジュアル）データを取得する受信部１０と、光ディスク１００をマウントするトレイ１０２と、を備えている。
光ディスク１００は、トレイ１０２にセットされており、例えば、ＤＶＤ−Ｒ、ＤＶＤ−ＲＷ、又はＤＶＤ−ＲＡＭである。ＤＶＤ＋Ｒ又はＤＶＤ＋ＲＷは、２００５年時点ではＣＰＲＭをサポートしていないため例示しないだけであり、除外する趣旨ではない。
【００２１】
PUヘッド２は、図示しないレーザダイオード（ＬＤ）、コリメータレンズ、ビームスプリッタ、対物レンズ、フォトディテクタ、スレッドモータ、及び２軸のアクチュエータを備えている。
ＰＵヘッド２は、光ディスク１００の半径方向に延びる軸に移動自在に取り付けられている。スレッドモータが、ＰＵヘッド２を光ディスク１００の半径方向に移動する。
ＬＤは、レーザ光を出力する光源であり、フォトディテクタは、複数の受光素子で形成されており、光ディスク１００からの反射光を検出する。フォトディテクタは、例えば、受光領域がほぼ均等に４分割されており、４つの受光領域を形成している。
対物レンズは、光ディスク１００に対するレーザ光の照射位置を調節する。また、２軸のアクチュエータは、対物レンズを光ディスク１００に接離する方向、及び光ディスク１００の半径方向に移動させる。
【００２２】
まず、再生時の動作について説明する。
ＰＵヘッド２は、光ディスク１００に対して読取パワーのレーザ光を照射し、光ディスク１００からの反射光をフォトディテクタで検出する。これにより、光ディスク１００に記録されている情報を光学的に読み出す。
記録再生部３は、ＰＵヘッド２における複数の受光素子の出力に基づいてＲＦ信号を生成し、該ＲＦ信号を増幅する。そして、記録再生部３は、該ＲＦ信号を処理して映像と音声等のデータを取り出し、デコードする。ここで、取り出される映像と音声等のデータは、例えばＭＰＥＧでエンコードされている。そして、記録再生部３は、音声データをＤ／Ａコンバータ１１に、映像データをＯＳＤ処理部１２に、両データの同期を取りながら、それぞれ出力する。
Ｄ／Ａコンバータ１１は、伸長された音声データをアナログの再生音声信号に変換し、その再生音声信号を外部のテレビジョン１０１に出力する。
なお、テレビジョン１０１がディジタル対応であれば、ディジタルで出力しても構わない。
【００２３】
ＯＳＤ処理部１２は、制御部４から伝送される制御信号に基づいて、映像データをスルーして直接出力する場合と、映像データに基づく映像にＯＳＤ画像を重ね合わせた合成映像を生成してその合成映像データを出力する場合と、ＯＳＤ画像だけのＯＳＤ画像データを出力する場合とで動作を切り替える。ＯＳＤ画像だけのＯＳＤ画像データを出力する場合だけは、再生していない時の動作となる。
ＯＳＤ処理部１２は、記憶部６に記憶されているＯＳＤ用データを用いてＯＳＤ画像を生成する。このＯＳＤ画像は、後述の図３ｓ８、ｓ１１又はｓ１５において、テレビジョン１０１にＯＳＤ表示するトラブルシューティングと、ｓ１６のコピー禁止の文字と、ｓ１７のディスクセットの文字と、である。
映像処理部１３は、入力された映像データ、ＯＳＤ画像データまたは合成映像データをアナログの再生映像信号に変換し、外部のテレビジョン１０１に出力する。
なお、テレビジョン１０１がディジタル対応であれば、ディジタルで出力しても構わない。
【００２４】
Ｄ／Ａコンバータ１１及び映像処理部１３には、テレビジョン１０１が接続され、ユーザは、このテレビジョン１０１において、Ｄ／Ａコンバータ１１及び映像処理部１３から出力された映像信号に基づく映像、及び音声信号に基づく音声を視聴することができる。
【００２５】
次に、記録時の動作について説明する。
受信部１０は、例えばＢ−ＣＡＳカードが内蔵されており、所謂チューナである。
受信部１０は、ディジタルＴＶ放送、ＢＳディジタルＴＶ放送等を受信するアンテナ２０から選択されているチャンネルのＴＶ放送信号を抽出して、取り出したデータをコンテンツのデータと管理情報とに分離し、コンテンツのデータを記録再生部３へ、管理情報を制御部４へ、それぞれ出力する。コンテンツは、例えばＴＶ番組である。
なお、アンテナ２０を設けているが、インターネットを除外する趣旨ではない。
【００２６】
記録再生部３は、入力されたデータを（例えば、ＭＰＥＧで）エンコードし、ディジタル信号をＰＵヘッド２に出力する。該入力されたデータは、ＡＶ（オーディオビジュアル）データを含んでおり、分離された後エンコードされる。
そして、ＰＵヘッド２は、記録再生部３からディジタル信号が入力されると、このディジタル信号に応じて記録パワーのレーザ光を制御し、光ディスク１００の記録面に照射する。
なお、記録時においても上記ＯＳＤ表示を行う。
この場合、ＯＳＤ処理部１２は、ＯＳＤ画像だけのＯＳＤ画像データを出力し、映像処理部１３は、アナログの再生映像信号に変換し、外部のテレビジョン１０１に出力する。
【００２７】
操作部５は、ユーザが光ディスク装置１に対して各種の命令（コマンド）を入力するためのものであり、設定キー、応答キー及び選択キーを含む複数のキーが設けられている。光ディスク装置１に対してユーザが入力したコマンドは制御部４に伝送される。
設定キーは、記録フォーマットを設定する際に使用するためのキーである。記録フォーマットは、例えばＤＶＤ−Ｖideoフォーマット、または−ＶＲフォーマットである。この設定キーによって、数種の記録フォーマットの中から所望の記録フォーマットを設定できる。設定された記録フォーマットは、記憶部６に記憶される。
応答キーは、トラブルシューティングに応答するためのキーである。
また、選択キーは、数種のトリックプレイを選択するキーであり、例えば再生キー、録画キー、スキップキー、早送りキー、又はリピートキーである。
記憶部６は、例えばＥＥＰＲＯＭで構成されており、装置本体１の主制御プログラムを記憶する。さらに、記憶部６は、上述のトラブルシューティングとｓ１６のコピー禁止の文字とｓ１７のディスクセットの文字と、のもととなるＯＳＤ用データを記憶する。
【００２８】
また、記憶部６は、操作部５の設定キーによって設定された記録フォーマットを記憶する。設定される記録フォーマットにより、主制御プログラムのモードが切り変わる。これにより、光ディスク１００にデータの記録を行う際、設定された記録フォーマットでデータの記録が行われる。
【００２９】
表示部７は、時刻、光ディスク装置１の設定状態、上述のトラブルシューティング、ｓ１６のコピー禁止の文字と、ｓ１７のディスクセットの文字などを表示する。
【００３０】
制御部４は、例えばマイクロコンピュータで構成されており、光ディスク装置１にユーザから入力された命令に応じて、上記主制御プログラムに基づいて、光ディスク装置１の各部を制御する。
制御部４は、受信部１０から入力された管理情報からコピー制御情報を検出する。ここで、装置本体１は、前提として、コピー制御情報に正しく反応する仕組みとなっている。また、制御部４は、その管理情報をデコードして、ＥＰＧも取得する。このＥＰＧの取得は、所定時に行うよう予め設定しておくと良い。所定時とは、例えば録画をスタートする時、放送番組の録画スタート開始時から３０分経過する毎、放送番組の録画を終了する直前（例えば終了５分前）である。
制御部４は、取得したＥＰＧを記憶部６に更新記録する。すなわち、既にＥＰＧがある場合、つまり、前回のＥＰＧがある場合、制御部４は、前回のＥＰＧを消去し、取得したＥＰＧを記憶部６に記録する。
【００３１】
なお、実際の光ディスク装置では、読取時や記録時に、レーザ光の照射位置を光ディスクのトラックの中心に合わせるトラッキングサーボ制御と、レーザ光の合焦位置を光ディスクの記録面に合わせるフォーカスサーボ制御と、を行っているが、本発明の実施形態では図示を省略している。
【００３２】
ここで、表示部７及びテレビジョン１０１が、本発明の「表示器」に相当する。また、制御部４、トレイ１０２、ＰＵヘッド２、及び記録再生部３が、本発明の「記録読取手段」に相当する。また、制御部４、ＯＳＤ処理部１２及び映像処理部１３が、本発明の「表示手段」に相当する。アンテナ２０が、本発明の「入力ソース」に相当する。
【００３３】
図２は、光ディスクの記録領域を示す図である。光ディスクの記録領域は、その内周から外周にかけてＰＣＡ、ＲＭＡ、リードイン領域、データ領域、リードアウト領域に分けられている。
【００３４】
ＰＣＡは、レーザパワーの校正が行える領域である。レーザパワーには、記録パワーと、読取パワーと、消去パワーと、の３段階がある。
ＲＭＡは、光ディスク装置１にとって必要な記録管理情報が記録されている領域である。
リードイン領域は、光ディスク上のデータ領域に記録されているデータのＴＯＣデータが記録されている領域である。このＴＯＣデータには、保存されたデータがファイナライズされているかどうかの情報、データが保存された日付、保存されたデータのタイトル情報、保存されたデータの光ディスク上のアドレス情報などが含まれている。
ＣＰＲＭ（Content  Protection  for  Recordable  Media）対応か否かの情報は、このリードイン領域中のコントロールデータエリア、又はこのリードイン領域中のＮＢＣＡ（Narrow  Burst  Cutting  Area）コードエリアに記録される。
【００３５】
データ領域は、保存されたデータが記録されている領域である。
リードアウト領域は、保存されたデータがファイナライズされた場合に作成される領域である。このファイナライズとは、他の装置と互換性を持つようにするために記録情報を整えるためのプロセスである。ファイナライズを行うことにより、他の装置においても光ディスクの再生が可能となる。
【００３６】
図３は、本発明の実施形態である光ディスク装置における録画キー押下時に制御部が行う動作を示すフローチャートである。図３で示されているメインルーチンは、上記主制御プログラムに関連する（プレインストールされている）ルーチンであり、録画キーの押下により、主制御プログラムからコールされる。
録画キーが押下されると、それがトリガとなり、制御部４は、図３で示されているメインルーチンを実行し、以下の動作を行う。
【００３７】
まず、制御部４は、記憶部６に格納されている最新のＥＰＧを参照し、アンテナ２０から入力されてきた、録画するＴＶ番組のコピー制御情報を取得する（ｓ１）。ここで、装置本体１は、前提として、コピー制御情報に正しく反応する仕組みとなっている。
【００３８】
次に、制御部４は、装置本体１に光ディスクがセットされているかＰＵヘッド２に確認させる（ｓ２）。この判断は、例えばレーザ光をＰＵヘッド２に照射させ、ＰＵヘッド２がその反射光を検出できるか否かにより行われる。ＰＵヘッド２が反射光を検出できれば、記録再生部３が該反射光を電気信号に変換し、制御部４に転送する。制御部４は、該電気信号が転送されたことにより、光ディスクが装置本体１にセットされていると判断できる。
【００３９】
装置本体１に光ディスクがセットされていないと判断すると、制御部４は、ディスクセットの文字をＯＳＤ処理部１２及び表示部７に表示させ（ｓ１７）、本処理を終了する。ディスクセットの文字は、例えば「ディスクをセットしてください」である。
【００４０】
一方、装置本体１に光ディスクがセットされていると判断すると、制御部４は、ｓ１において取得したコピー制御情報を参照して、録画するＴＶ番組がコピーフリーであるか否か判断する（ｓ３）。装置本体１に光ディスク１００がセットされたものとして、以下説明を続ける。
録画するＴＶ番組がコピーフリーであると判断すると、制御部４は、録画を実行するための動作を装置本体１各部に指示し（ｓ７）、本処理を終了する。ＴＶ番組がコピーフリーである場合、コピーワンスによるトラブルは関係ないので、制御部４は、通常通り処理している。
【００４１】
一方、録画するＴＶ番組がコピーフリーでないと判断すると、制御部４は、ｓ１において取得したコピー制御情報を参照して、そのＴＶ番組がコピーワンスであるか否か判断する（ｓ４）。
そのＴＶ番組がコピーワンスでないと判断すると、つまり、そのＴＶ番組がコピー禁止であると判断すると、制御部４は、コピー禁止の文字をＯＳＤ処理部１２及び表示部７に表示させ（ｓ１６）、本処理を終了する。すると、ＯＳＤ処理部１２は、コピー禁止の文字のＯＳＤ画像を生成し、コピー禁止の文字がテレビジョン１０１に表示される。ＴＶ番組がコピー禁止である場合、コピーワンスによるトラブルは関係ないので、制御部４は、通常通り処理している。コピー禁止の文字は、例えば「録画をするために選択されたＴＶ番組はコピー禁止です」である。
【００４２】
一方、ｓ４において録画するＴＶ番組がコピーワンスであると判断すると、制御部４は、装置本体１にセットされている光ディスク１００がＣＰＲＭ対応か否かを判断する（ｓ５）。この判断は、光ディスク１００のリードイン領域をＰＵヘッド２に読み出させることにより行なう（図２参照）。制御部４は、記録再生部３を介してこのＰＵヘッド２が読み出す情報を取得し、判断する。
【００４３】
光ディスク１００がＣＰＲＭ対応でないと判断すると、制御部４は、トラブルシューティングをＯＳＤ処理部１２及び表示部７に表示させる（ｓ１１）。すると、ＯＳＤ処理部１２は、トラブルシューティングのＯＳＤ画像を生成し、トラブルシューティングがテレビジョン１０１に表示される。
ｓ１１のトラブルシューティングは、即ちディスク交換要請画面であり、装置本体１にセットされている光ディスク１００を別のコピーワンス対応の光ディスクに交換することを促す内容のものである。ｓ１１のトラブルシューティングは、例えば「別のコピーワンス対応の光ディスクに交換しなければ録画することはできません。光ディスクを交換しますか？」である。
ユーザは、取扱説明書を見なくとも、このトラブルシューティングを見て、別のコピーワンス対応の光ディスクに交換しなければ録画することはできないことを把握する。
以上より、取扱説明書に頼ることなく、コピーワンスによるトラブル解決法をユーザに簡単に示すことができるという効果を奏する。
【００４４】
制御部４は、操作部５の応答キーによって、装置本体１にセットされている光ディスク１００の交換がＯＫされたか否かを判断する（ｓ１２）。
【００４５】
装置本体１にセットされている光ディスク１００の交換をＯＫしたと判断すると、制御部４は、光ディスク１００をトレイ１０２にエジェクトさせる（ｓ１３）。するとトレイ１０２はスライドし、ユーザが光ディスク１００を取り外せるようになる。
以上より、ユーザが光ディスクを素早く、且つ簡単にチェンジできるという効果を奏する。
なお、この実施形態では、簡単に説明するためにトレイ１０２にエジェクトさせているが、光ディスク装置がスロットインメカ方式であれば、トレイ１０２を用いずに、光ディスク１００を排出する。
【００４６】
制御部４は、装置本体１に光ディスクがセットされるのを待って（ｓ１４）、ｓ５に戻り処理を継続する。ｓ１４の判断は、ｓ２と同様、装置本体１に光ディスクがセットされているかＰＵヘッド２に確認させる方法により行なわれる。
【００４７】
一方、ｓ１２において、装置本体１にセットされている光ディスク１００の交換を拒否したと判断すると、制御部４は、トラブルシューティングをＯＳＤ処理部１２及び表示部７に表示させ（ｓ１５）、本処理を終了する。すると、ＯＳＤ処理部１２は、トラブルシューティングのＯＳＤ画像を生成し、トラブルシューティングがテレビジョン１０１に表示される。ｓ１５のトラブルシューティングは、即ちキャンセル画面であり、例えば「録画入力はキャンセルされました。」である。
【００４８】
一方、ｓ５において、光ディスク１００がＣＰＲＭ対応であると判断すると、制御部４は、ＣＰＲＭ対応の光ディスク１００が装置本体１に現在設定されている記録フォーマットによって記録可能か否か判断する（ｓ６）。
２００５年時点において、記録可能な記録フォーマットは、例えば−ＶＲフォーマットである。また、記録不可能な記録フォーマットは、例えばＤＶＤ−Ｖideoフォーマットである。
【００４９】
現在設定されている記録フォーマットによって記録可能であると判断すると、制御部４は、録画を実行するための動作を装置本体１各部に指示し（ｓ７）、本処理を終了する。すると、ＴＶ番組は、コピーワンスとなるように、暗号化されて光ディスクに録画される。ｓ７では、光ディスクもコピーワンス対応であり且つ記録フォーマットも適正である場面を想定している。
【００５０】
一方、現在設定されている記録フォーマットによって記録不可能であると判断すると、制御部４は、トラブルシューティングをＯＳＤ処理部１２及び表示部７に表示させる（ｓ８）。すると、ＯＳＤ処理部１２は、トラブルシューティングのＯＳＤ画像を生成し、トラブルシューティングがテレビジョン１０１に表示される。ｓ８のトラブルシューティングは、即ち記録フォーマット設定変更要請画面であり、現在設定されている記録フォーマットを記録可能な記録フォーマットに変更することを促す内容である。ｓ８のトラブルシューティングは、例えば「現在設定されているＤＶＤ−Ｖideoフォーマットを記録可能な−ＶＲフォーマットに変更しますか？」である。
以上より、取扱説明書に頼ることなく、コピーワンスによるトラブル解決法を、ユーザに簡単に示すことができるという効果を奏する。
【００５１】
制御部４は、操作部５の設定キー又は応答キーによって、現在設定されている記録フォーマットを記録可能な記録フォーマットに変更する入力がされたか否か判断する（ｓ９）。
【００５２】
現在設定されている記録フォーマットが記録可能な記録フォーマットに変更する入力がされなかったと判断すると、制御部４は、ｓ１１に進み処理を継続する。ｓ９判断否定は、一定時間の経過、又は応答キーによって−ＶＲフォーマットに変更しない旨の返答があった場合を想定している。
【００５３】
一方、ｓ９において、現在設定されている記録フォーマットが記録可能な記録フォーマットに変更する入力がされたと判断すると、制御部４は、現在の記録フォーマットを記録可能な記録フォーマットに記憶部６に更新記録（設定）し（ｓ１０）、ｓ７に進み処理を継続する。ｓ９判断肯定は、一定時間の以内に、応答キーによって−ＶＲフォーマットに変更する旨の返答があった場合を想定している。
【図面の簡単な説明】
【００５４】
【図１】本発明の実施形態である光ディスク装置の主要な構成を示すブロック図
【図２】光ディスクの記録領域を示す図
【図３】本発明の実施形態である光ディスク装置における録画キー押下時に制御部が行う動作を示すフローチャート
【符号の説明】
【００５５】
１−光ディスク装置
２−PUヘッド
３−記録再生部
４−制御部
５−操作部
６−記憶部
７−表示部
１０−受信部
１１−Ｄ／Ａコンバータ
１２−ＯＳＤ処理部
１３−映像処理部
１００−光ディスク
１０１−テレビジョン
１０２−トレイ
【図１】
2007157207.tif 000003
【図２】
2007157207.tif 000004
【図３】
2007157207.tif 000005